(57)【特許請求の範囲】
【請求項１】
座部とその後方に設けた背凭れ部と、座部の前方に設けた足載せ部とを備えた椅子式マッサージ機であって、背凭れ部に背部及び腰部方向に昇降するマッサージ部材を備えた背部マッサージ機構を設けると共に、マッサージ部材と駆動部を備えた下腿マッサージ機構を座部及び足載せ部にそれぞれ備え、各下腿マッサージ機構を駆動部により座部及び足載せ部のそれぞれに下腿の長さ方向に設けたガイドレールに沿って移動するように構成し、
前記座部と前記背凭れ部及び前記足載せ部のいずれか又は全てにおいて、左右両側に突出壁を設けて、該各突出壁が対向する各面にそれぞれ空気給排装置の空気給排により膨縮する膨縮袋を配設し、
前記座部又は/及び足載せ部における前記突出壁に配設した前記膨縮袋を前記下腿マッサージ機構の移動方向に複数個並設すると共に、これら複数の膨縮袋のうち、下腿マッサージ機構の移動に同期して該下腿マッサージ機構に備えた前記マッサージ部材と最近接する膨縮袋のみを膨張させるようにしたことを特徴とする椅子式マッサージ機。
【請求項２】
前記背凭れ部における前記突出壁に配設した前記膨縮袋を前記背部マッサージ機構の昇降方向に複数個並設すると共に、これら複数の膨縮袋のうち、背部マッサージ機構の昇降移動に同期して該背部マッサージ機構に備えた前記マッサージ部材と最近接する膨縮袋のみを膨張させるようにしたことを特徴とする請求項１に記載の椅子式マッサージ機。
【請求項３】
前記下腿マッサージ機構に備えた前記マッサージ部材を、該下腿マッサージ機構に備えた駆動部によってマッサージ動作させるようにしたことを特徴とする請求項１又は２に記載の椅子式マッサージ機。
【請求項４】
前記下腿マッサージ機構に備えた前記マッサージ部材を、傾斜状に配備される左右一対の揉み輪が下腿の左右それぞれに対応するよう同軸上に複数並設したことを特徴とする請求項１乃至３のいずれか記載の椅子式マッサージ機。
【請求項５】
前記突出壁を座部に着座した被施療者の肩または上腕側方となる位置に配設して、該左右の突出壁の内側面には膨縮袋を埋設し、当該膨縮袋をその基端部のみを突出壁の基端部に取り付けることにより、膨張時には重合した膨縮袋が扇状に広がって、被施療者の身体側部を挟圧しつつ、身体前方まで覆って、前記マッサージ部材へ施療者の背部が押しつけられるように形成したことを特徴とする請求項１乃至４の何れか記載の椅子式マッサージ機。
【請求項６】
前記突出壁を座部の左右両側に設けて、該各突出壁が対向する各面にそれぞれ前記膨縮袋を配設し、左右両側の突出壁に配設した前記各膨縮袋を、その膨張により施療者の下腿を左右から安定保持した状態で押圧して、当該施療者の下腿が前記マッサージ部材へ押しつけるように形成したことを特徴とする請求項１乃至５の何れか記載の椅子式マッサージ機。
【請求項７】
前記座部における両下腿の中間において重合状の前記膨縮袋を設けており、
当該両下腿中間における重合状の各膨縮袋は、下部の膨縮袋の上部左右に、当該下部の膨縮袋よりも左右方向において小さな膨縮袋を分割してそれぞれ配設した構成としたことを特徴とする請求項１乃至請求項６のいずれか記載の椅子式マッサージ機。
【発明の詳細な説明】
【技術分野】
【０００１】
本発明は、全身マッサージが可能であると共に、「経絡」に沿って漸進的に移行しつつマッサージを連続付与して該「経絡」上のコリを効果的に解消することが可能な椅子式マッサージ機に関するものである。
【背景技術】
【０００２】
従来、椅子式マッサージ機において、背凭れ部に昇降可能な電動の揉み玉や空気給排装置による空気の給排で膨縮する膨縮袋などから構成されるマッサージ機構を適所に設けた構成のものは主流となっており、加えて背凭れ部の他に座部や足載せ部などにも同様のマッサージ機構を配設することで下腿をもマッサージできるようにした、全身マッサージが可能な構成のものは既によく知られている。
【０００３】
この種従来の椅子式マッサージ機としては、図１５や図１６に示したようなものがあり、例えば、図１５に示した椅子式マッサージ機は、背凭れ部２、腰掛部３、肘掛部４、首筋当部５からなる椅子１の各部内に多数の各蛇腹状の伸縮筒２７を内装して構成したものであり、各伸縮筒２７は腰掛部３の下部に内装された空気圧発生装置６により伸縮して首筋、背部、腕部、大腿部、脚部の各所を順次指圧マッサージするようにしたものとしている。
【０００４】
また、図１６に示した椅子式マッサージ機は、座部２，背凭れ部３，フットレスト（足載せ部）４からなるものであり、凹状をなした座部２は、その内底部分と、内側部分に夫々空気袋（膨縮袋）２ｃを設けると共に、凹状をなした背凭れ部３においては、内底部分にマッサージ機構５を、内側部分に空気袋３ｄをそれぞれ設け、さらにフットレスト４も凹状をなしており、内底部分、内側部分、及び内下底部分のそれぞれに空気袋４ｄが設けられていたものとしている。
【特許文献１】特公昭４４−１３６３８号公報（第６頁、図４）
【特許文献２】特開２００３−２６００９９号公報（第９頁、図２）
【発明の開示】
【発明が解決しようとする課題】
【０００５】
ところで、図１４に示すように東洋医学の分野における「経絡」というものが身体の全域に渡って通っており、この「経絡」に沿って多数の「ツボ」が存在すると考えられているため、この「経絡」に沿って漸進的に移行しつつマッサージを連続付与することが望ましいとされている。
【０００６】
しかしながら、上記特許文献１の椅子式マッサージ機は、椅子本体の各所に伸縮動作する伸縮筒を設けて順次各身体部位を指圧マッサージするよう構成したものであるが、各伸縮筒間の隔たりが存在するため、該隔たりにおけるマッサージがなされず、「経絡」に沿って移行しながらの漸進的で途絶えることのないマッサージを付与することができないという課題が存在していた。
【０００７】
また、上記特許文献２の椅子式マッサージ機についても同様、座部や足載せ部において膨縮動作する各膨縮袋がそれぞれ所定の位置に固設されているため、座部や足載せ部において「経絡」に沿った漸進的なマッサージができず、「経絡」上のコリを効果的に解消し得ないという問題が残存していた。
【０００８】
そこで、本発明は、上記問題点を解消する為に成されたものであり、全身マッサージが可能であると共に、多数の「ツボ」が存在する「経絡」に沿って漸進的に移行しつつマッサージを連続付与して該「経絡」上のコリを効果的に解消することが可能な椅子式マッサージ機を提供する事を目的とするものである。
【課題を解決するための手段】
【０００９】
すなわち、本発明の椅子式マッサージ機は、座部とその後方に設けた背凭れ部と、座部の前方に設けた足載せ部とを備えた椅子式マッサージ機であって、該椅子式マッサージ機は、背凭れ部に背部及び腰部方向に昇降するマッサージ部材を備えた背部マッサージ機構を設けると共に、マッサージ部材と駆動部を備えた下腿マッサージ機構を座部及び足載せ部にそれぞれ備え、各下腿マッサージ機構を駆動部により座部及び足載せ部のそれぞれに下腿の長さ方向に設けたガイドレールに沿って移動するようにしたものとしている。
【００１０】
また、本発明の椅子式マッサージ機は、前記下腿マッサージ機構に備えた前記マッサージ部材を、該下腿マッサージ機構に備えた駆動部によってマッサージ動作させるようにしたものとしている。
【００１１】
さらに、本発明の椅子式マッサージ機は、前記下腿マッサージ機構に備えた前記マッサージ部材を、傾斜状に配備される左右一対の揉み輪が下腿の左右それぞれに対応するよう同軸上に複数並設したものとしている。
【００１２】
また、本発明の椅子式マッサージ機は、前記座部と前記背凭れ部及び前記足載せ部のいずれか又は全てにおいて、左右両側に突出壁を設け、該各突出壁が対向する各面にそれぞれ空気給排装置の空気給排により膨縮する膨縮袋を配設するものとしている。
【００１３】
さらに、本発明の椅子式マッサージ機は、前記突出壁に配設した前記膨縮袋により背部または/及び下腿の表面側を押圧してその裏面側にある前記マッサージ部材へ背部または/及び下腿が押しつけられるよう該膨縮袋を背部または/及び下腿の表面側より表裏方向において大きく形成したものとしている。
【００１４】
また、本発明の椅子式マッサージ機は、前記背凭れ部における前記突出壁に配設した前記膨縮袋を前記背部マッサージ機構の昇降方向に複数個並設したものとすると共に、これら複数の膨縮袋のうち、背部マッサージ機構の昇降移動に同期して該背部マッサージ機構に備えた前記マッサージ部材と最近接する膨縮袋のみを膨張させるよう構成している。
【００１５】
さらに、本発明の椅子式マッサージ機は、前記座部又は/及び足載せ部における前記突出壁に配設した前記膨縮袋を前記下腿マッサージ機構の移動方向に複数個並設したものとすると共に、これら複数の膨縮袋のうち、下腿マッサージ機構の移動に同期して該下腿マッサージ機構に備えた前記マッサージ部材と最近接する膨縮袋のみを膨張させるよう構成している。
【発明の効果】
【００１６】
よって、本発明の椅子式マッサージ機は、座部とその後方に設けた背凭れ部と、座部の前方に設けた足載せ部とを備えた椅子式マッサージ機であって、該椅子式マッサージ機は、背凭れ部に背部及び腰部方向に昇降するマッサージ部材を備えた背部マッサージ機構を設けると共に、マッサージ部材と駆動部を備えた下腿マッサージ機構を座部及び足載せ部にそれぞれ備え、各下腿マッサージ機構を駆動部により座部及び足載せ部のそれぞれに下腿の長さ方向に設けたガイドレールに沿って移動するようにしたものとしているため、全身における多数の「ツボ」が存在する「経絡」に沿って漸進的に途絶えることなくマッサージを連続付与して「経絡」上のコリを効果的に解消しつつ、下腿と共に背部全体を含む全身マッサージが実現できる。
【００１７】
また、本発明の椅子式マッサージ機は、前記下腿マッサージ機構に備えた前記マッサージ部材を、該下腿マッサージ機構に備えた駆動部によってマッサージ動作させるようにしたものとしているため、下腿マッサージ機構を簡素化でき、コスト低減やメンテナンスの簡易化を図れる。
【００１８】
さらに、本発明の椅子式マッサージ機は、前記下腿マッサージ機構に備えた前記マッサージ部材を、傾斜状に配備される左右一対の揉み輪が下腿の左右それぞれに対応するよう同軸上に複数並設したものとしているため、両下腿を同時に揉みほぐすマッサージが実現できる。
【００１９】
また、本発明の椅子式マッサージ機は、前記座部と前記背凭れ部及び前記足載せ部のいずれか又は全てにおいて、左右両側に突出壁を設け、該各突出壁が対向する各面にそれぞれ空気給排装置の空気給排により膨縮する膨縮袋を配設するものとしているため、背部及び腰部、又は/及び下腿の各側面に対するマッサージが可能となり、さらにマッサージ範囲を拡大できる。
【００２０】
さらに、本発明の椅子式マッサージ機は、前記突出壁に配設した前記膨縮袋により背部または/及び下腿の表面側を押圧してその裏面側にある前記マッサージ部材へ背部または/及び下腿が押しつけられるよう該膨縮袋を背部または/及び下腿の表面側より表裏方向において大きく形成したものとしているため、マッサージ部材におけるマッサージ力を一定に保持しながら「経絡」に沿った効果的なマッサージが実施できる。加えて、これらマッサージ部材及び突出壁に配設した膨縮袋により全体的に包み込むようなマッサージ感が得られる。
【００２１】
また、本発明の椅子式マッサージ機は、前記背凭れ部における前記突出壁に配設した前記膨縮袋を前記背部マッサージ機構の昇降方向に複数個並設したものとすると共に、これら複数の膨縮袋のうち、背部マッサージ機構の昇降移動に同期して該背部マッサージ機構に備えた前記マッサージ部材と最近接する膨縮袋のみを膨張させるよう構成しているため、マッサージ部材と伴って背部から腰部にかけて集中ポイント的なマッサージ感が得られるし、所要の膨縮袋のみを活用するので前記空気給排装置の加圧負担を低減することができる。
【００２２】
さらに、本発明の椅子式マッサージ機は、前記座部又は/及び足載せ部における前記突出壁に配設した前記膨縮袋を前記下腿マッサージ機構の移動方向に複数個並設したものとすると共に、これら複数の膨縮袋のうち、下腿マッサージ機構の移動に同期して該下腿マッサージ機構に備えた前記マッサージ部材と最近接する膨縮袋のみを膨張させるよう構成しているため、マッサージ部材と伴って下腿において集中ポイント的なマッサージ感が得られるし、所要の膨縮袋のみを活用するので前記空気給排装置の加圧負担を低減することができる。
【発明を実施するための最良の形態】
【００２３】
以下に、本発明の椅子式マッサージ機を、図面に示す一実施形態に基づきこれを詳細に説明する。図１は本発明の椅子式マッサージ機の一実施形態を示す斜視図であり、図２は本発明の椅子式マッサージ機の一実施形態を示す使用状態図であり、図３は本発明の椅子式マッサージ機の一実施形態を示す右側面図であり、図４は本発明の椅子式マッサージ機における下腿マッサージ機構の一実施形態を示す斜視説明図であり、図５は本発明の椅子式マッサージ機における下腿マッサージ機構の一実施形態を示す部分説明図であり、図６は本発明の椅子式マッサージ機における下腿マッサージ機構の移動に関する一実施形態を示す平面説明図であり、図７は本発明の椅子式マッサージ機における下腿マッサージ機構のガイドレール上を移動する状態の一実施形態を示す側面説明図であり、図８は本発明の椅子式マッサージ機における背部マッサージ機構及び下腿マッサージ機構が移動する状態の一実施形態を示す側面説明図であり、図９は本発明の椅子式マッサージ機における背凭れ部の突出壁に設けた膨縮袋の膨縮に関する一実施形態を示す部分断面説明図であり、図１０は本発明の椅子式マッサージ機における座部の一実施形態を示す断面説明図であり、図１１は本発明の椅子式マッサージ機における座部に設けた膨縮袋の膨縮に関する一実施形態を示す断面説明図であり、図１２は本発明の椅子式マッサージ機における足載せ部の一実施形態を示す断面説明図であり、図１３は本発明の椅子式マッサージ機における足載せ部に設けた膨縮袋の膨縮に関する一実施形態を示す断面説明図であり、図１４は人体に存する「経絡」を示した図であり、図１５及び図１６は従来技術を示す参考図である。
【００２４】
すなわち、図１乃至図３の実施形態で示したように、本発明の椅子式マッサージ機１ａは、被施療者の臀部及び大腿部などが当接する座部１１ａと、その後方に被施療者の背部及び腰部、それに頭部などが当接するリクライニング可能な背凭れ部１２ａと、座部１１ａの前方に出没可能な被施療者の脛部などを載置する足載せ部１３ａとを備えたものである。
【００２５】
また、前記座部１１ａの両側において、被施療者の手部や腕部を載置するための肘掛け部１４ａをそれぞれ立設している。
【００２６】
尚、図３に示すように、前記片側の肘掛け部１４ａの上方にリモコンである操作部５ａを立設させており、この椅子式マッサージ機１ａにおける全操作を行うようにしている。
【００２７】
さらに、図１に示すように前記背凭れ部１２ａにおいて、左右一対の揉み玉から構成するマッサージ部材３１ａを備えた背部及び腰部方向に昇降する背部マッサージ機構３ａを設けると共に、空気給排装置４１ａの空気給排により膨縮する膨縮袋４ａを適所に複数設けたものとしている。
【００２８】
前記背部マッサージ機構３ａは、前記背凭れ部１２ａの内部左右に設けた左右一対のガイドレール３２ａに沿って該背凭れ部１２ａの上端から下端にかけて昇降するようにしている。
【００２９】
加えて、前記背部マッサージ機構３はモータ等を駆動源とした機械式の施療機構であり、前記背凭れ部１２ａに凭れた被施療者の首部、背部、腰部、臀部等の背面全域を、たたき、揉み、ローリング、振動、指圧などの多様な形態で施療するようにしたものである。
【００３０】
また、前記空気給排装置４１ａは、図示していないが圧縮空気を発生させるエアポンプと、該圧縮空気を各エアホースに分配する複数の電磁弁からなる分配器と、該分配器の内部機構を電子回路により制御する電子制御回路とから主に構成され、前記座部１１ａの下部空間に配備している。
【００３１】
前記膨縮袋４ａについては、軟質樹脂やナイロンのシートによる溶着成形、または同材質のブロー成形等で製造され、前記空気給排装置３ａの空気の給排気による継続的な膨縮に耐え得るものを採用している。
【００３２】
よって、前記空気給排装置４１ａによる各前記膨縮袋４ａの膨縮動作によって、前記背凭れ部１２ａにおける被施療者の所定部位を押圧または指圧マッサージすることができる。
【００３３】
図１に示す形態の場合、前記背凭れ部１２ａの左右及び上下に前記各膨縮袋４ａを設けており、左右の膨縮袋４ａ・４ａが同期膨縮するようにしている。特に、背凭れ部１２ａの下部は被施療者の腰部が入り込むように凹部が形成されており、上下の各膨縮袋４ａのうち下側左右の膨縮袋４ａ・４ａは、該凹部の内側側面に対向するようにそれぞれ内装しているため、被施療者の腰部両側面を左右から挟圧することができるようにしている。
【００３４】
他にも、図１に示すように前記左右の肘掛け部１４ａの上部には、必要に応じて人体の手や前腕を嵌入保持して施療するための凹部を形成する腕保持部１５ａを設ける事ができる。この図１の場合、該腕保持部１５ａの内部において、上下に各膨縮袋４ａを夫々対設するよう設けて、凹部内部で人体の手や前腕に対する挟圧施療を実施するようにしている。
【００３５】
また、本発明の椅子式マッサージ機１ａは、図１、図６、図８に示すようにマッサージ部材７１ａと駆動部７３ａを備えた下腿マッサージ機構７ａを前記座部１１ａ及び前記足載せ部１３ａにそれぞれ備え、各下腿マッサージ機構７ａを駆動部７３ａにより座部１１ａ及び足載せ部１３ａのそれぞれに下腿の長さ方向に設けたガイドレール７５ａに沿って移動するようにしたものとしている。
【００３６】
すなわち、図４に示すように前記下腿マッサージ機構７ａの前記マッサージ部材７１ａは、傾斜状に配備される左右一対の揉み輪７１１ａ・７１１ａを下腿の左右それぞれに対応するよう同軸上に複数並設したものである。
【００３７】
また、前記駆動部７３ａはモータ及び変速機から主に構成するものであるが、前記下腿マッサージ機構７ａの移動に限らず、前記マッサージ部材７１ａのマッサージ動作における駆動力を発生させるものとしている。
【００３８】
よって、前記駆動部７３ａにおけるモータの回転が左右方向に延設する駆動軸７２ａに伝達され、前記揉み輪７１１ａ・７１１ａを回転させてマッサージ動作すると共に、前記下腿マッサージ機構７ａ全体は前記ガイドレール７５ａに沿って移動することになる。
【００３９】
このように、前記マッサージ部材７１ａを前記下腿マッサージ機構７ａに備えた前記駆動部７３ａによってマッサージ動作させるようにしたものとしているため、機構の簡素化を図ることができる。
【００４０】
前記揉み輪７１１ａ・７１１ａは、左右対称の傾斜状に形成しているため、前記駆動軸７２ａの回転が伝達されると、その傾斜角度を一定周期で変化させつつ左右方向における揉み動作を発生させる。
【００４１】
尚、図示しないが前記揉み輪７１１ａ・７１１ａにおける被施療者側への当接周部は、駆動軸７２ａの回転が伝達しないよう空回転可能としている。
【００４２】
さらに、図４、図５及び図７に示すように前記駆動軸７２ａの左右両端には、回転ギヤ７２１ａ・７２１ａをそれぞれ設け、該各回転ギヤ７２１ａは前記各ガイドレール７５ａに固設された各ラック７５１ａに噛合するよう構成している。
【００４３】
よって、前記各回転ギヤ７２１ａは、図７に示すように前記駆動軸７２ａの回転により確実に前記各ガイドレール７５ａの前記各ラック７５１ａ上を回転移動するので、図６及び図８に示す如く前記座部１１ａ及び前記足載せ部１３ａのそれぞれにおいて、各下腿マッサージ機構７ａは滑らかに下腿の長さ方向において移動しつつ下腿全体をマッサージすることができる。
【００４４】
尚、前記各下腿マッサージ機構７ａの移動制御について、図示しないが該各下腿マッサージ機構７ａの前記各ガイドレール７５ａ上における位置を検知する位置センサを採用し、該位置センサで検知される検知データに基づいて前記駆動部７３ａを前記電子制御回路にて制御しつつ各下腿マッサージ機構７ａの移動を実行するようにしている。
【００４５】
尚、図４及び図５に示すように前記回転ギヤ７２１ａ・７２１ａの後方において、前記下腿マッサージ機構７ａにおける動作安定のための追従回転輪７４ａ・７４ａをそれぞれ設けている。該各追従回転輪７４ａは、前記各ガイドレール７５ａに設けた溝部７５２ａの内部で回転移動するようにしている。
【００４６】
上記本発明の椅子式マッサージ機１ａはさらに、前記座部１１ａと前記背凭れ部１２ａ及び前記足載せ部１３ａのいずれか又は全てにおいて、左右両側に突出壁６ａを設け、該各突出壁６ａが対向する各面にそれぞれ前記空気給排装置４１ａの空気給排により膨縮する前記膨縮袋４ａを配設するものとしている。
【００４７】
すなわち、図１及び図９に示すように前記背凭れ部１２ａの左右両側においては、前方に向かって突出した突出壁２ａを夫々配設し、該各突出壁２ａが対向する各面にそれぞれ前記膨縮袋４ａを配設している。
【００４８】
また、前記各突出壁２ａは座部１１ａに着座した被施療者の肩または上腕側方となる位置に配設しており、該左右の突出壁２ａの内側面にそれぞれ左右方向に重合した膨縮袋４ａを並列状態に埋設している。これら重合した膨縮袋４ａ・４ａはその基端部のみを突出壁２ａの基端部に取り付けているため、膨張時には重合した膨縮袋４ａ・４ａが扇状に広がって被施療者の身体側部を挟圧しつつ、身体前方まで覆うようになる。
【００４９】
よって、前記左右突出壁２ａの前記膨縮袋４ａは、膨縮動作により身体側部を施療する事ができるだけでなく、一定の時間において膨張状態を保つならば、被施療者の身体が前記背凭れ部１２ａから離れないようにしっかりと保持する事ができ、被施療者の身体を固定したままの状態で前記背部マッサージ機構３ａの前記マッサージ部材３１ａによる背部からのマッサージを効果的に実施することができる。
【００５０】
加えて、図８に示すように前記背凭れ部１２ａにおける前記突出壁２ａに配設した前記膨縮袋４ａを前記背部マッサージ機構３ａの昇降方向に複数個並設したものとしている。
【００５１】
そして、これら前記突出壁２ａに複数並設した前記各膨縮袋４ａのうち、前記背部マッサージ機構３ａの昇降移動に同期して該背部マッサージ機構３ａに備えた前記マッサージ部材３１ａと最近接する膨縮袋４ａのみを膨張させるよう前記電子制御回路にて制御する。
【００５２】
また、図１及び図１０に示すように前記座部１１ａにおいて、左右両側に突出壁６ａを設け、該各突出壁６ａが対向する各面にそれぞれ前記空気給排装置４１ａの空気給排により膨縮する前記膨縮袋４ａを配設している。
【００５３】
前記図面で示す実施例の場合、前記座部１１ａにおける両下腿の中間において重合状の前記各膨縮袋４ａを設けると共に、前記各突出壁６ａに重合状の膨縮袋４ａ・４ａを縦装したものとしている。
【００５４】
尚、前記両下腿中間における重合状の各膨縮袋４ａについては、図１０に示すように下部の膨縮袋４ａを左右方向において比較的大きなものを使用し、該大きな膨縮袋４ａの上部左右にそれより小さな膨縮袋４ａ・４ａを分割してそれぞれ配設した構成としている。
【００５５】
よって、図１１に示すように前記各突出壁６ａに設けた前記各膨縮袋４ａにより両下腿の側面に対する押圧マッサージが実現でき、また、各膨縮袋４ａの膨縮または膨張保持により両下腿を左右から安定保持した状態で前記各揉み輪７１１ａによる的確なマッサージをもたらすことが可能となる。
【００５６】
さらに図１０及び図１１に示す構成は、前記突出壁６ａに配設した前記膨縮袋４ａにより下腿の表面側を押圧してその裏面側にある前記マッサージ部材７１ａへ下腿が押しつけられるよう該膨縮袋４ａを下腿の表面側より表裏方向において大きく形成したものとしている。
【００５７】
また、図１及び図１２に示すように前記足載せ部１３ａにおいて、左右両側及びその中間に突出壁６ａをそれぞれ設け、該各突出壁６ａが対向する各面にそれぞれ前記空気給排装置４１ａの空気給排により膨縮する前記膨縮袋４ａを重合状に縦装している。
【００５８】
よって、図１３に示すように前記各突出壁６ａに設けた前記各膨縮袋４ａにより両下腿の側面に対する押圧マッサージが実現でき、また、各膨縮袋４ａの膨縮または膨張保持により両下腿を左右から安定保持した状態で前記各揉み輪７１１ａによる的確なマッサージをもたらすことが可能となる。
【００５９】
さらにこれらの図１２及び図１３に示す構成は、前記左右両側の突出壁６ａ・６ａに配設した前記各膨縮袋４ａにより下腿の表面側を押圧してその裏面側にある前記マッサージ部材７１ａへ下腿が押しつけられるよう該各膨縮袋４ａを下腿の表面側より表裏方向において大きく形成したものとしている。
【００６０】
上述した前記座部１１ａや前記足載せ部１３ａにおいて、さらに図８に示すように座部１１ａ及び足載せ部１３ａのそれぞれの前記各突出壁２ａに配設した前記膨縮袋４ａを、前記各下腿マッサージ機構７ａの移動方向に複数個並設することができる。
【００６１】
そして、これら前記突出壁２ａに複数並設した前記各膨縮袋４ａのうち、前記各下腿マッサージ機構７ａの移動に同期して該各下腿マッサージ機構７ａに備えた前記各マッサージ部材７１ａと最近接する膨縮袋４ａのみを膨張させるよう前記電子制御回路にて制御する。
【図面の簡単な説明】
【００６２】
【図１】本発明の椅子式マッサージ機の一実施形態を示す斜視図である。
【図２】本発明の椅子式マッサージ機の一実施形態を示す使用状態図である。
【図３】本発明の椅子式マッサージ機の一実施形態を示す右側面図である。
【図４】本発明の椅子式マッサージ機における下腿マッサージ機構の一実施形態を示す斜視説明図である。
【図５】本発明の椅子式マッサージ機における下腿マッサージ機構の一実施形態を示す部分説明図である。
【図６】本発明の椅子式マッサージ機における下腿マッサージ機構の移動に関する一実施形態を示す平面説明図である。
【図７】本発明の椅子式マッサージ機における下腿マッサージ機構のガイドレール上を移動する状態の一実施形態を示す側面説明図である。
【図８】本発明の椅子式マッサージ機における背部マッサージ機構及び下腿マッサージ機構が移動する状態の一実施形態を示す側面説明図である。
【図９】本発明の椅子式マッサージ機における背凭れ部の突出壁に設けた膨縮袋の膨縮に関する一実施形態を示す部分断面説明図である。
【図１０】本発明の椅子式マッサージ機における座部の一実施形態を示す断面説明図である。
【図１１】本発明の椅子式マッサージ機における座部に設けた膨縮袋の膨縮に関する一実施形態を示す断面説明図である。
【図１２】本発明の椅子式マッサージ機における足載せ部の一実施形態を示す断面説明図である。
【図１３】本発明の椅子式マッサージ機における足載せ部に設けた膨縮袋の膨縮に関する一実施形態を示す断面説明図である。
【図１４】人体に存する「経絡」を示した図である。
【図１５】従来技術を示す参考図である。
【図１６】従来技術を示す参考図である。
【符号の説明】
【００６３】
１ａ  椅子式マッサージ機
１１ａ  座部
１２ａ  背凭れ部
１３ａ  足載せ部
１４ａ  肘掛け部
１５ａ  腕保持部
２ａ  突出壁
３ａ  背部マッサージ機構
３１ａ  マッサージ部材
３２ａ  ガイドレール
４ａ  膨縮袋
４１ａ  空気給排装置
５ａ  操作部
６ａ  突出壁
７ａ  下腿マッサージ機構
７１ａ  マッサージ部材
７１１ａ  揉み輪
７２ａ  駆動軸
７２１ａ  回転ギヤ
７３ａ  駆動部
７４ａ  追従回転輪
７５ａ  ガイドレール
７５１ａ  ラック
７５２ａ  溝部
【図１】
0005209916.tif 000002
【図２】
0005209916.tif 000003
【図３】
0005209916.tif 000004
【図４】
0005209916.tif 000005
【図５】
0005209916.tif 000006
【図６】
0005209916.tif 000007
【図７】
0005209916.tif 000008
【図８】
0005209916.tif 000009
【図９】
0005209916.tif 000010
【図１０】
0005209916.tif 000011
【図１１】
0005209916.tif 000012
【図１２】
0005209916.tif 000013
【図１３】
0005209916.tif 000014
【図１４】
0005209916.tif 000015
【図１５】
0005209916.tif 000016
【図１６】
0005209916.tif 000017